(57)【要約】【課題】厳密な管理が必要な情報を格納するデータベースを設置することなく，送付者及び受取人の個人情報を秘密にした状態で配送物を配送する。【解決手段】受取者端末装置は，配送業者サーバ装置から配送業者の公開鍵を取得し，公開鍵を使用して，少なくとも配送物の配送に必要な受取者の個人情報からなる受取者情報を予めダウンロードした前記配送業者の暗号化プログラムにより暗号化し，受取者暗号情報を送付者端末装置に送信し，送付者端末装置は，送信された受取者暗号情報を配送業者に委託する配送物に添付するために出力し，出力された受取者暗号情報は，配送業者の有する暗号読取装置により，配送業者の秘密鍵を使用して受取者暗号情報を復号化されて，受取人の配達先の情報が配送業者に取得される。【選択図】　図１
2004110425.tif 000002
【特許請求の範囲】
【請求項１】
配送物の配送を配送業者に委託する送付者の送付者端末装置と，前記配送物を受け取る受取者の受取者端末装置とが，公衆回線網を介して接続されており，
前記受取者端末装置は，所定のメディアを介して前記配送業者の公開鍵を取得し，前記公開鍵を使用して，少なくとも配送物の配送に必要な受取者の個人情報からなる受取者情報を暗号化して受取者暗号情報を生成し，前記受取者暗号情報を前記送付者端末装置に送信し，
前記送付者端末装置は，前記送信された受取者暗号情報を前記配送業者に委託する配送物に添付するために出力し，
前記出力された受取者暗号情報は，前記配送業者の暗号読取装置により，前記配送業者の秘密鍵を使用して前記受取者暗号情報を復号化されて，前記受取人情報が前記配送業者に取得される，
ことを特徴とする配送物の配送システム。
【請求項２】
前記受取者端末装置は，前記受取者暗号情報に前記配送業者の公開鍵に関する情報を添付して，前記送付者端末装置に送信する，ことを特徴とする請求項１に記載の配送物の配送システム。
【請求項３】
前記送付者端末装置は，所定のメディアを介して前記配送業者の公開鍵を取得し，前記公開鍵を使用して，送付者に関する送付者情報を暗号化して送付者暗号情報を生成し，前記送付者暗号情報を前記配送業者に委託する配送物に添付するために出力し，
前記出力された送付者暗号情報は，前記配送業者の暗号読取装置により，前記配送業者の秘密鍵を使用して前記送付者暗号情報が復号化されて，前記送付者情報が前記配送業者に取得される，
ことを特徴とする請求項１に記載の配送物の配送システム。
【請求項４】
少なくとも前記受取者暗号情報は，コード化情報からなる，ことを特徴とする請求項１に記載の配送物の配送システム。
【請求項５】
少なくとも前記受取者暗号情報の出力には，少なくとも前記受取者を識別するための名称が記載されている，ことを特徴とする請求項１に記載の配送物の配送システム。
【請求項６】
配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者の配送業者サーバ装置であって，
前記配送業者サーバ装置は，
少なくとも配送物の配送に必要な受取者の個人情報からなる受取者情報を暗号化する暗号化プログラムを実行させるための公開鍵を管理する公開鍵管理手段と，
前記受取者端末装置の要求に応じて，前記公開鍵を前記受取者端末装置に送信する公開鍵送信手段と，
少なくとも配送物の配送に必要な受取者の個人情報からなる受取者情報が前記公開鍵を使用して前記暗号化プログラムにより暗号化されて生成された受取者暗号情報を，復号化するための秘密鍵を管理する秘密鍵管理手段と，
前記受取者暗号情報を復号化する暗号読取装置に対して，前記秘密鍵を提供する秘密鍵提供手段と，を有する，
ことを特徴とする配送業者サーバ装置。
【請求項７】
さらに，
前記公開鍵送信手段は，前記送付者端末装置の要求に応じて，前記公開鍵を前記送付者端末装置に送信することが可能であり，
前記公開鍵を使用して，前記暗号化プログラムにより前記送付者に関する送付者情報を暗号化した送付者暗号情報の生成が可能であり，
前記秘密鍵は，前記送付者暗号情報を復号化することが可能である，
ことを特徴とする請求項６に記載の配送業者サーバ装置。
【請求項８】
少なくとも前記受取者暗号情報の出力には，少なくとも前記受取者を識別するための名称が記載されている，ことを特徴とする請求項６に記載の配送物の配送システム。
【請求項９】
配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者の配送業者サーバ装置と接続可能な暗号読取装置であって，
前記配送業者の公開鍵を使用して暗号化プログラムにより少なくとも配送物の配送に必要な受取者情報が暗号化されて生成された受取者暗号情報を復号化するための秘密鍵をサーバ装置から取得する手段と，
前記受取者暗号情報を読み取って，前記秘密鍵により復号化する手段と，
前記復号化した受取者暗号情報を可読な受取者情報として出力する手段と，
を有することを特徴とする暗号読取装置。
【請求項１０】
前記暗号読取装置は，前記公開鍵を使用して前記暗号化プログラムにより暗号化された送付者の個人情報である送付者暗号情報の復号化が可能であり，
前記復号化した送付者暗号情報を可読な送付者情報として出力可能である，
ことを特徴とする請求項９に記載の暗号読取装置。
【請求項１１】
配送物の配送を配送業者に委託する送付者の送付者端末装置と，前記配送物を受け取る受取者の受取者端末装置とが，公衆回線網を介して接続された配送物の配送方法であって，
前記受取者端末装置は，所定のメディアを介して前記配送業者の公開鍵を取得し，前記公開鍵を使用して，少なくとも配送物の配送に必要な受取者の個人情報からなる受取者情報を暗号化して受取者暗号情報を生成し，前記受取者暗号情報を前記送付者端末装置に送信し，
前記送付者端末装置は，前記送信された受取者暗号情報を前記配送業者に委託する配送物に添付するために出力し，
前記出力された受取者暗号情報は，前記配送業者の暗号読取装置により，前記配送業者の秘密鍵を使用して前記受取者暗号情報を復号化されて，前記受取人の配達先の情報が前記配送業者に取得される，
ことを特徴とする配送物の配送方法。
【請求項１２】
前記受取者端末装置は，前記受取者暗号情報に前記配送業者の公開鍵に関する情報を添付して，前記送付者端末装置を送信する，ことを特徴とする請求項１１に記載の配送物の配送方法。
【請求項１３】
前記送付者端末装置は，前記配送業者サーバ装置から又は所定のメディアを介して前記配送業者の公開鍵を取得し，前記公開鍵を使用して，送付者に関する情報を暗号化して送付者暗号情報を生成し，前記送付者暗号情報を前記配送業者に委託する配送物に添付するために出力し，
前記出力された送付者暗号情報は，前記配送業者の暗号読取装置により，前記配送業者の秘密鍵を使用して前記送付者暗号情報が復号化されて，前記送付者情報が前記配送業者に取得される，
ことを特徴とする請求項１１に記載の配送物の配送方法。
【請求項１４】
少なくとも前記受取者暗号情報は，コード化情報からなる，
ことを特徴とする請求項１１に記載の配送物の配送方法。
【請求項１５】
少なくとも前記受取者暗号情報の出力には，少なくとも前記受取者を識別するための名称が記載されている，ことを特徴とする請求項１１に記載の配送物の配送方法。
【請求項１６】
配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，
少なくとも配送物の配送に必要な受取者の個人情報からなる受取者情報を暗号化する暗号化プログラムを実行させるための公開鍵を管理する公開鍵管理手段と，
前記受取者端末装置の要求に応じて，前記公開鍵を前記受取者端末装置に送信する公開鍵送信手段と，
少なくとも配送物の配送に必要な受取者の個人情報からなる受取者情報が前記公開鍵を使用して前記暗号化プログラムにより暗号化されて生成された受取者暗号情報を，復号化するための秘密鍵を管理する秘密鍵管理手段と，
前記受取者暗号情報を復号化する暗号読取装置に対して，前記秘密鍵を提供する秘密鍵提供手段と，
して機能させるためのプログラム。
【請求項１７】
配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，
少なくとも配送物の配送に必要な受取者の個人情報からなる受取者情報を暗号化する暗号化プログラムを実行させるための公開鍵を管理する公開鍵管理手段と，
前記受取者端末装置の要求に応じて，前記公開鍵を前記受取者端末装置に送信する公開鍵送信手段と，
少なくとも配送物の配送に必要な受取者の個人情報からなる受取者情報が前記公開鍵を使用して前記暗号化プログラムにより暗号化されて生成された受取者暗号情報を，復号化するための秘密鍵を管理する秘密鍵管理手段と，
前記受取者暗号情報を復号化する暗号読取装置に対して，前記秘密鍵を提供する秘密鍵提供手段と，
して機能させるためのプログラムを記録したコンピュータ読み取り可能な記録媒体。
【発明の詳細な説明】
【０００１】
【発明の属する技術分野】
本発明は，配送物の配送システム，配送業者サーバ装置，暗号読取装置，配送物の配送方法，プログラム，記録媒体に関し，さらに詳細には，受取者又は送付者の個人情報を相手方に開示することなく配送物を配送可能にする配送システムに関する。
【０００２】
【従来の技術】
近年においては，インターネットによるメール，掲示板，オークションなどを介して物品が売買する方法が急速に利用されつつある。このようなインターネットを利用して物品を売買する方法では，物品の送付者及び受取人は共に，相手方に，自分の個人情報を知らせたくない場合が多い。また，インターネットショッピングを利用する場合にも，受取人の個人情報をショップ側に開示したくない場合がある。
【０００３】
このような問題を解決するために，個人情報を開示せずにインターネットショッピングを実行する方法として，配送サービス会社がＩＤ番号と個人情報を関連付けて格納するデータベースを有するサーバ装置を設置し，ＩＤ番号だけをショップ側通知することにより，配送物を配送する方法が提案されている（例えば，
特許文献１参照）
【０００４】
【特許文献１】
特開２００２−７９０４号公報
【０００５】
【発明が解決しようとする課題】
しかしながら，上記特許文献１にかかる方法では，サーバ装置のデータベースに格納されている情報の機密が十分に保持されるように管理しなければならない。したがって，サーバ装置の管理が不十分である場合には，個人情報が漏洩してしまうという問題がある。例えばデータベースごと盗難された場合には，データベースに登録されている個人情報が全て漏洩してしまうことになる。また，ＩＤ番号を間違えて送信してしまうと，全く関係のない他人に配送物が配送されてしまう，という問題もある。さらに，配送業者は，必ずサーバ装置に問い合わせなければならないため，オフラインで使用することができない，という問題がある。
【０００６】
したがって，本発明の目的は，上記のように厳密な管理が必要な情報を格納するデータベースを設置することなく，送付者及び受取人の個人情報を秘密にした状態で配送物を配送することが可能な新規かつ改良された配送物の配送システム等を提供することにある。
【０００７】
【課題を解決するための手段】
上記課題を解決するため，本発明の第１の観点においては，配送物の配送を配送業者に委託する送付者の送付者端末装置と，前記配送物を受け取る受取者の受取者端末装置とが，公衆回線網を介して接続されており，前記受取者端末装置は，所定のメディアを介して前記配送業者の公開鍵を取得し，前記公開鍵を使用して，少なくとも配送物の配送に必要な受取者の個人情報からなる受取者情報を暗号化して受取者暗号情報を生成し，前記受取者暗号情報を前記送付者端末装置に送信し，前記送付者端末装置は，前記送信された受取者暗号情報を前記配送業者に委託する配送物に添付するために出力し，前記出力された受取者暗号情報は，前記配送業者の暗号読取装置により，前記配送業者の秘密鍵を使用して前記受取者暗号情報を復号化されて，前記受取人情報が前記配送業者に取得される，ことを特徴とする配送物の配送システムが提供される。
【０００８】
上記記載の発明では，公開鍵を使用して，受取者の個人情報暗号化するので，個人情報を送付者に知られることなく配送物が配送される。このとき，受取者の個人情報あるいは送付者の個人情報を格納するためのデータベースが不要となるので，個人情報の流出が最大限防止することができる。例えば暗号キーが盗難された場合であっても，その暗号キーを使用した配送物に関する個人情報のみの漏洩に止めることができる。さらに，サーバ管理の手間がなくなるばかりでなく，個人情報を秘密にする配送システムを低コストで実現することができる。さらに，配送業者は，サーバ装置に問い合わせる必要がないので，オフラインで宛名を変換することができる。
【０００９】
また，前記受取者端末装置は，前記受取者暗号情報に前記配送業者の公開鍵に関する情報を添付して，前記送付者端末装置に送信する，如く構成すれば，その情報を参照することにより配送業者が複数の公開鍵・秘密鍵ペアを運用することができる。
【００１０】
また，前記送付者端末装置は，所定のメディアを介して公開鍵を取得し，前記公開鍵を使用して，送付者に関する送付者情報を暗号化して送付者暗号情報を生成し，前記送付者暗号情報を前記配送業者に委託する配送物に添付するために出力し，前記出力された送付者暗号情報は，前記配送業者の暗号読取装置により，前記配送業者の秘密鍵を使用して前記送付者暗号情報が復号化されて，前記送付者情報が前記配送業者に取得される，如く構成すれば，受取者には送付者の個人情報が知られることなく，配送業者は送付者の個人情報を認識することができる。
【００１１】
また，少なくとも前記受取者暗号情報は，コード化情報からなる，如く構成すれば，受取者暗号情報（必要に応じて送付者暗号情報）は，例えばバーコードまたは２次元バーコードなどのコード化情報からなるので，暗号読取装置により受取者情報（必要に応じて送付者情報）容易に自動認識することができる。
【００１２】
また，少なくとも前記受取者暗号情報の出力には，少なくとも，前記受取者を識別するための名称が記載されている，如く構成すれば，受取者の実名（必要に応じて送付者の実名）を明かすことなく，受取者（必要に応じて送付者）を識別することができる。
【００１３】
上記課題を解決するため，本発明の第２の観点においては，配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者の配送業者サーバ装置であって，前記配送業者サーバ装置は，少なくとも配送物の配送に必要な受取者の個人情報からなる受取者情報を暗号化する暗号化プログラムを実行させるための公開鍵を管理する公開鍵管理手段と，前記受取者端末装置の要求に応じて，前記公開鍵を前記受取者端末装置に送信する公開鍵送信手段と，少なくとも配送物の配送に必要な受取者の個人情報からなる受取者情報が前記公開鍵を使用して前記暗号化プログラムにより暗号化されて生成された受取者暗号情報を，復号化するための秘密鍵を管理する秘密鍵管理手段と，前記受取者暗号情報を復号化する暗号読取装置に対して，前記秘密鍵を提供する秘密鍵提供手段と，を有する，ことを特徴とする配送業者サーバ装置が提供される。
【００１４】
上記記載の発明では，公開鍵を使用して，受取者の個人情報暗号化するので，個人情報を送付者に知られることなく配送物が配送するための配送業者サーバ装置が提供される。このとき，配送業者サーバ装置には，受取者の個人情報あるいは送付者の個人情報を格納するためのデータベースが不要となるので，個人情報の流出が最大限防止することができる。例えば暗号キーが盗難された場合であっても，その暗号キーを使用した配送物に関する個人情報のみの漏洩に止めることができる。さらに，サーバ管理の手間がなくなるばかりでなく，個人情報を秘密にする配送システムを低コストで実現することができる。さらに，配送業者は，サーバ装置に問い合わせる必要がないので，オフラインで宛名を変換することができる。
【００１５】
また，さらに，前記公開鍵送信手段は，前記送付者端末装置の要求に応じて，前記公開鍵を前記送付者端末装置に送信することが可能であり，前記公開鍵を使用して，前記暗号化プログラムにより前記送付者に関する送付者情報を暗号化した送付者暗号情報の生成が可能であり，前記秘密鍵は，前記送付者暗号情報を復号化することが可能である，如く構成すれば，受取者には送付者の個人情報が知られることなく，配送業者は送付者の個人情報を認識することができる。
【００１６】
また，少なくとも前記受取者暗号情報の出力には，少なくとも，前記受取者を識別するための名称が記載されている，如く構成すれば，受取者の実名（必要に応じて送付者の実名）を明かすことなく，受取者（必要に応じて送付者）を識別することができる。
【００１７】
上記課題を解決するため，本発明の第３の観点においては，配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者の配送業者サーバ装置と接続可能な暗号読取装置であって，前記配送業者の公開鍵を使用して暗号化プログラムにより少なくとも配送物の配送に必要な受取者情報が暗号化されて生成された受取者暗号情報を復号化するための秘密鍵をサーバ装置から取得する手段と，前記受取者暗号情報を読み取って，前記秘密鍵により復号化する手段と，前記復号化した受取者暗号情報を可読な受取者情報として出力する手段と，を有することを特徴とする暗号読取装置が提供される。
【００１８】
上記記載の発明では，配送業者は，暗号化された受取者の個人情報を送付者に知られることなく容易に解読することができる。また，サーバ装置に問い合わせる必要がないので，オフラインで宛名を変換することができる。
【００１９】
前記暗号読取装置は，前記公開鍵を使用して前記暗号化プログラムにより暗号化された送付者の個人情報である送付者暗号情報の復号化が可能であり，前記復号化した送付者暗号情報を可読な送付者情報として出力可能である，如く構成すれば，配送業者は，暗号化された送付者の個人情報を受取者に知られることなく容易に解読することができる。
【００２０】
上記課題を解決するため，本発明の第４の観点においては，配送物の配送を配送業者に委託する送付者の送付者端末装置と，前記配送物を受け取る受取者の受取者端末装置とが，公衆回線網を介して接続された配送物の配送方法であって，前記受取者端末装置は，所定のメディアを介して前記配送業者の公開鍵を取得し，前記公開鍵を使用して，少なくとも配送物の配送に必要な受取者の個人情報からなる受取者情報を暗号化して受取者暗号情報を生成し，前記受取者暗号情報を前記送付者端末装置に送信し，前記送付者端末装置は，前記送信された受取者暗号情報を前記配送業者に委託する配送物に添付するために出力し，前記出力された受取者暗号情報は，前記配送業者の暗号読取装置により，前記配送業者の秘密鍵を使用して前記受取者暗号情報を復号化されて，前記受取人の配達先の情報が前記配送業者に取得される，ことを特徴とする配送物の配送方法が提供される。
【００２１】
上記記載の発明では，公開鍵を使用して，受取者の個人情報暗号化するので，個人情報を送付者に知られることなく配送物が配送される。このとき，受取者の個人情報あるいは送付者の個人情報を格納するためのデータベースが不要となるので，個人情報の流出が最大限防止することができる。例えば暗号キーが盗難された場合であっても，その暗号キーを使用した配送物に関する個人情報のみの漏洩に止めることができる。さらに，サーバ管理の手間がなくなるばかりでなく，個人情報を秘密にする配送システムを低コストで実現することができる。さらに，配送業者は，サーバ装置に問い合わせる必要がないので，オフラインで宛名を変換することができる。
【００２２】
また，前記受取者端末装置は，前記受取者暗号情報に前記配送業者の公開鍵に関する情報を添付して，前記送付者端末装置を送信する，如く構成すれば，その情報を参照することにより配送業者が複数の公開鍵・秘密鍵ペアを運用することができる。
【００２３】
また，前記送付者端末装置は，前記配送業者サーバ装置から又は所定のメディアを介して前記配送業者の公開鍵を取得し，前記公開鍵を使用して，送付者に関する情報を暗号化して送付者暗号情報を生成し，前記送付者暗号情報を前記配送業者に委託する配送物に添付するために出力し，前記出力された送付者暗号情報は，前記配送業者の暗号読取装置により，前記配送業者の秘密鍵を使用して前記送付者暗号情報が復号化されて，前記送付者情報が前記配送業者に取得される，如く構成すれば，受取者には送付者の個人情報が知られることなく，配送業者は送付者の個人情報を認識することができる。
【００２４】
また，少なくとも前記受取者暗号情報は，コード化情報からなる，如く構成すれば，受取者暗号情報（必要に応じて送付者暗号情報）は，例えばバーコードまたは２次元バーコードなどのコード化情報からなるので，暗号読取装置により受取者情報（必要に応じて送付者情報）容易に自動認識することができる。
【００２５】
また，少なくとも前記受取者暗号情報の出力には，少なくとも，前記受取者を識別するための名称が記載されている，如く構成すれば，受取者の実名（必要に応じて送付者の実名）を明かすことなく，受取者（必要に応じて送付者）を識別することができる。
【００２６】
上記課題を解決するため，本発明の第５の観点においては，配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，少なくとも配送物の配送に必要な受取者の個人情報からなる受取者情報を暗号化する暗号化プログラムを実行させるための公開鍵を管理する公開鍵管理手段と，前記受取者端末装置の要求に応じて，前記公開鍵を前記受取者端末装置に送信する公開鍵送信手段と，少なくとも配送物の配送に必要な受取者の個人情報からなる受取者情報が前記公開鍵を使用して前記暗号化プログラムにより暗号化されて生成された受取者暗号情報を，復号化するための秘密鍵を管理する秘密鍵管理手段と，前記受取者暗号情報を復号化する暗号読取装置に対して，前記秘密鍵を提供する秘密鍵提供手段と，して機能させるためのプログラムが提供される。
【００２７】
上記課題を解決するため，本発明の第６の観点においては，配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，少なくとも配送物の配送に必要な受取者の個人情報からなる受取者情報を暗号化する暗号化プログラムを実行させるための公開鍵を管理する公開鍵管理手段と，前記受取者端末装置の要求に応じて，前記公開鍵を前記受取者端末装置に送信する公開鍵送信手段と，少なくとも配送物の配送に必要な受取者の個人情報からなる受取者情報が前記公開鍵を使用して前記暗号化プログラムにより暗号化されて生成された受取者暗号情報を，復号化するための秘密鍵を管理する秘密鍵管理手段と，前記受取者暗号情報を復号化する暗号読取装置に対して，前記秘密鍵を提供する秘密鍵提供手段と，して機能させるためのプログラムを記録したコンピュータ読み取り可能な記録媒体が提供される。
【００２８】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２９】
（第１の実施の形態）
まず，図１に基づいて，本実施形態にかかる配送物の配送システムについて説明する。なお，図１は，本実施形態にかかる配送物の配送システムの構成を示すブロック図である。
【００３０】
まず，図１に示すように，本実施形態にかかる配送物の配送システム１０は，受取者端末装置１００，送付者端末装置２００，配送業者サーバ装置３００などがインターネット等を介して接続されている。なお，本実施形態にかかる配送業者サーバ装置３００は，配送物の配送サービスを提供する事業者のサーバ装置であり，配送業者の暗号読取装置４００とデータ転送可能に接続することができる。なお，受取者端末装置１００及び送付者端末装置２００は，プロバイタ６００，６２０及び通信キャリア７００，７２０を介して接続される。
【００３１】
また，ドメインネームサーバ８００は，ドメイン名とＩＰアドレスの相互変換を実行し，受取者端末装置１００あるいは送付者端末装置２００から送信されたＵＲＬ等からＩＰアドレスを検索して受取者端末装置１００あるいは送付者端末装置２００に返送する。
【００３２】
プロバイダ６００，６２０は，通信キャリア７００，７２０を介して接続された受取者端末装置１００とネットワーク５００とを論理的に接続し，受取者端末装置１００とネットワーク５００，及び送付者端末装置２００とネットワーク５００との間で情報伝達を可能とする。かかる通信キャリア７００，７２０は，例えばＮＴＴなどの通信サービス会社が提供する伝送媒体が該当し，受取者端末装置１００とプロバイダ６００，及び送付者端末装置２００とプロバイダ６２０との間の接続及び情報の伝達を可能としている。
【００３３】
受取者端末装置１００は，図２に示すように，配送業者サーバ装置３００との通信を制御する通信制御装置２１０，配送業者サーバ装置３００から送信されたコンテンツを表示する表示手段（ディスプレイ）１２０，情報データなどの各種データを入力するための入力手段１３０，配送業者サーバ装置３００から送信された情報を記憶するための記憶手段１４０，などから構成される。なお，記憶手段１４０には，配送業者サーバ装置３００から送信された暗号化プログラム，公開鍵なども格納することができる。なお，受取者端末装置１００は，デスクトップコンピュータ，ノート型パーソナルコンピュータ，携帯型端末以外にも，ｉモード（商標名）などのブラウザ機能を有する携帯電話及びパーム等通信機能を有する端末も含まれる。
【００３４】
かかる受取者端末装置１００は，少なくとも配送物の配送に必要な受取者の個人情報からなる受取者情報を，配送業者の公開鍵を使用して，予めダウンロードした配送業者の暗号化プログラムにより暗号化して，受取者暗号情報として送付者端末装置２００に送信する。
【００３５】
送付者端末装置２００は，図３に示すように，配送業者サーバ装置３００との通信を制御する通信制御装置２１０，配送業者サーバ装置３００から送信されたコンテンツを表示する表示手段（ディスプレイ）２２０，情報データなどの各種データを入力するための入力手段２３０，配送業者サーバ装置３００から送信された情報を記憶するための記憶手段２４０，受取者暗号情報を例えばラベル印刷により出力する出力手段２５０などから構成される。
【００３６】
記憶手段２４０には，配送業者サーバ装置３００から送信された暗号化プログラム，公開鍵なども格納することができる。また，出力手段２５０は，受取者暗号情報をラベル印刷する以外にも，磁気カード，ＩＣカードなどの各種媒体に記録するように出力することも含まれる。また，送付者端末装置２００は，デスクトップコンピュータ，ノート型パーソナルコンピュータ，携帯型端末以外にも，ｉモード（商標名）などのブラウザ機能を有する携帯電話及びパーム等の通信機能を有する端末も含まれる。
【００３７】
次いで，図４に基づいて，本実施形態にかかる配送業者サーバ装置について説明する。なお，図４は，本実施形態にかかる配送業者サーバ装置の構成を示すブロック図である。なお，本実施形態にかかる配送業者サーバ装置は，従来と異なり，受取者の個人情報あるいは送付者の個人情報を格納するためのデータベースは設置されていない。
【００３８】
本実施形態にかかる配送業者サーバ装置３００は，図４に示すように，ＣＰＵ３１０，通信ユニット３２０，メモリ３３０，暗号プログラム管理手段３４０，公開鍵管理手段３５０，秘密鍵管理手段３６０，コンテンツデータベース３７０などから構成される。
【００３９】
ＣＰＵ３１０は，配送業者サーバ装置３００の全体制御を実行する。通信ユニット３２０は，電話回線を介した外部との通信や，例えばインターネットを介した外部との通信を制御するユニットである。メモリ３３０は，ＣＰＵ３１０によって，アクセスされるためのプログラムやデータが格納される。
【００４０】
暗号化プログラム管理装置３４０には，受取者情報あるいは送付者情報を暗号化するためのプログラムが格納されている。公開鍵管理装置３５０は，暗号化プログラムを実行するための公開鍵が管理されている。秘密鍵管理手段３６０は，暗号化された受取者情報あるいは送付者情報を復号化するための秘密鍵が管理されている。
【００４１】
コンテンツデータベース３７０には，配送業者サーバ装置３００が提供するＨＴＭＬファイル，グラフィカル・アイコン・ファイル（ＧＩＦファイルなど），音声，画像オブジェクトなどのハイパーテキストオブジェクトなどのコンテンツが格納され，例えばインターネットを介して，これらのオブジェクトが受取者端末装置１００及び送付者端末装置２００に提供される。
【００４２】
暗号読取装置４００は，受取者暗号情報を読み取るスキャニング機能と，ダウンロードした秘密鍵を格納する秘密鍵格納機能と，読み取った受取者暗号情報を複号化する復号化機能と，復号化した受取者情報を例えばラベル印刷するラベル印刷機能などを有する。例えば，ラベル印刷機能付きハンディバーコードスキャナなどが含まれる。また，暗号読取装置４００は，配送業者サーバ装置３００と接続して，秘密鍵をダウンロードすることができる。
【００４３】
次に，図５を参照しながら図６に基づいて，本実施形態にかかる配送物の配送方法について説明する。なお，図５は，本実施形態にかかる配送物の配送方法を示す概念図である。図６は，本実施形態にかかる配送物の配送方法を示すフローチャートである。
【００４４】
本実施形態においては，まず，ユーザ同士がインターネットを利用して，例えば物品の売買が成立したことなどにより，配送物を配送する場合について説明する。このとき，受取者は，配送業者により配送された物品を受領する者である。送付者は，物品を所有，販売，貸与等する者あるいは業者であって，受取者に物品を送付する者である。また，受取者端末装置には，既に暗号化プログラムがダウンロードされているものとして説明する。
【００４５】
まず，図６に示すように，ステップＳ１００で，受取者端末装置１００は，配送業者Ｃの公開鍵Ｋｐを取得する（ステップＳ１００）。
【００４６】
次いで，ステップＳ１０２で，受取者端末装置１００は，取得した公開鍵Ｋｐを使用して，予めダウンロードされている暗号化プログラムにより配送物の配送先である受取者の配送情報（例えば住所，氏名，電話番号などの受取者情報）を暗号化（例えばバーコード化）して，メール等などの電子的手段により送付者端末装置３００に送信する（ステップＳ１０２）。
【００４７】
その後，ステップＳ１０４で，送付者端末装置２００は，受取者暗号情報を例えばラベルにプリントアウトし，暗号化された受取者情報が記載されたラベルを配送物に添付して配送業者Ｃに渡して配送を委託する（ステップＳ１０４）。
【００４８】
さらに，ステップ１０６で，配送業者Ｃは，暗号読取装置（例えばバーコード読取用スキャナ）４００により，配達業者Ｃの秘密鍵Ｋｓを使用して受取者配送情報を復号化し，受取者Ｂの配達先が可読に明示されたラベルを印刷する（ステップＳ１０６）。なお，受領者Ｂの配達先が可読に明示されたラベルは，これまで貼り付けられていた暗号化されている表示ラベルと張り替えられる。
【００４９】
最後に，ステップＳ１０６で，配送業者Ｃは，ラベルに明示された受取者Ｂの住所に配送物を配送し，受取者Ｂは，配送物を受け取ることができる（ステップＳ１０６）。
【００５０】
本実施形態においては，受取者Ｂの配送情報（例えば，住所，氏名，電話番号などの受取者情報）が暗号化されて送付者Ａに送信されるので，秘密鍵を有しない送付者Ａに対して受取者情報が秘密にされる。このように，受取者Ｂの個人情報は，送付者Ａに開示されることなく，配送物が受取者Ｂに配送される。
【００５１】
また，上記配送物の配送システムにおいては，受取者情報のみを暗号化する例を挙げて説明したが，送付者Ａの個人情報を暗号化することもできる。即ち，送付者の身元情報（例えば住所，氏名など）についても，配送履歴を管理するなどの理由により，配送業者が知っておく必要もある。この場合において，送付者Ａの個人情報（住所，氏名など）を配送物に添付してしまうと，送付者Ａの個人情報が受取者に開示されてしまう。このため，送付者Ａは，送付者端末装置２００により上記受取者情報を暗号化するのと同様の方法で送付者Ａの個人情報を暗号化し，送付者Ａの個人情報を受取者Ｂに開示することなく配送業者Ｃにのみ知らせることもできる。
【００５２】
以下，図７に基づいて，簡単に説明する。なお，受取者端末装置１００から受取者暗号情報が送付者端末装置２００に送信されている点は，図５と同様である。
【００５３】
図７に示すように，送付者端末装置２００は，送付者Ａの身元情報（例えば住所，氏名などの送付者情報）を配送業者Ｃの公開鍵Ｋｐを使用して暗号化プログラムにより暗号化して送付者暗号情報を生成し，受取人暗号情報と共に例えばラベルに印刷する。次いで，送付者暗号情報及び受取者暗号情報が印刷されたラベルを配送物に配送業者Ｃに引き渡す。
【００５４】
このことにより，配送業者Ｃは，配送業者Ｃの秘密鍵Ｋｓにより送付者Ａの個人情報を取得することができるが，秘密鍵Ｋｓを有しない受取者Ｂには，送付者Ａの個人情報が開示されることはない。
【００５５】
次に，本実施形態にかかる配送物の配送方法の各工程について，図８〜図２１に基づいて詳細に説明する。なお，本実施形態においては，▲１▼．受取者情報の暗号化方法，▲２▼．受取者暗号情報（及び送付者暗号情報）のラベル印刷，▲３▼．受取者暗号情報の復号化の３つの工程に分けて説明する。
【００５６】
（１）受取者情報の暗号化方法
以下に，本実施形態にかかる受取者情報の暗号化方法を図８〜図１７に基づいて詳細に説明する。
【００５７】
まず，受取者の暗号化の方法としては，例えば２種類の方法が考えられる。第１の暗号化方法は，受取者端末装置に格納された暗号化プログラムを使用して受取者情報を暗号化する方法である。第２の暗号化方法は，配送業者サーバ装置に格納されている暗号化プログラムを使用して受取者情報を暗号化する方法である。
【００５８】
（第１の暗号化方法：暗号化プログラムが受取者端末装置に格納されている場合の暗号化方法）
まず，本実施形態にかかる受取者の配送情報の第１の暗号化方法を図８〜図１３に基づいて，説明する。なお，図８は，本実施形態にかかる受取者情報の第１の暗号化方法を示す概念図である。図９は，本実施形態にかかる受取者情報の第１の暗号化方法を説明するためのフローチャートである。
【００５９】
まず，図９に示すように，ステップＳ２００で，受取者端末装置１００は，インターネットの配送業者Ｃのサイトから暗号化ソフトのプログラムをダウンロードして，インストールする（ステップＳ２００）。なお，かかる暗号化プログラムは，例えば雑誌等の付録（例えばＣＤ‐ＲＯＭ）として配布することもできる。
【００６０】
次いで，ステップＳ２０２では，図８に示すように，受取者端末装置１００は，配送業者Ｃの公開鍵Ｋｐをダウンロードして入手する（ステップＳ２０２）。なお，公開鍵は，本実施形態にかかる受取者情報の暗号化プログラムを実行するために必要な鍵である。
【００６１】
その後，ステップＳ２０４で，暗号化ソフトを立ち上げると，受取者端末装置１００には，受取者Ｂの情報の入力画面が表示される（ステップＳ２０４）。
なお，受取者情報入力画面は，図１０に示すように，例えば，「ハンドルネーム」，「住所」，「氏名」，「電話番号」などの入力項目と，「確認ボタン」が表示される。
【００６２】
さらに，ステップＳ２０６で，受取者Ｂの配送情報の入力画面の各項目を入力する（ステップＳ２０６）。なお，「ハンドルネーム」は，受取者を識別するための名称を自由に記載する。「住所」は，受取者の住所であって，配送物を受け取る場所を記載する。「氏名」は，受取者本人の氏名を記載する。「電話番号」は，受取者の電話番号を記載する。「確認ボタン」は，受取者情報を暗号化する前に再確認するためのボタンである。
【００６３】
さらに，所定項目の入力が終了した後，確認ボタンをクリックすると，図１１に示すように，受取者情報の確認画面が表示される。なお，「暗号化（ＯＫ）ボタン」は，受取者情報を暗号化を開始するためのボタンである。
【００６４】
さらに，ステップＳ２０８で，受取者情報確認画面の暗号化ボタンをクリックすることにより，受取者情報の暗号化が実行される（ステップＳ２０８）。なお，受取者情報の暗号化は，例えば１６進テキストコードにより暗号化することができるが，配送の手間を考慮して，例えばバーコードや２次元バーコードなどのコード化情報とするのが好ましい。かかるバーコードなどのコード化情報によれば，暗号読取装置により受取者暗号情報を容易に自動認識することができる。
【００６５】
最後に，ステップＳ２１０で，受取者端末装置１００により指定されディレクトリに受取者暗号情報のファイルが生成される（ステップＳ２１０）。かかるディレクトリの指定は，図１２に示すように，ディレクトリ指定画面上で暗号化ファイルを保存するディレクトリを指定し，「ＯＫボタン」をクリックすることにより実行することができる。なお，暗号化情報のファイル形式は，そのままラベルにできる画像ファイルフォーマット（ＧＩＦ，ＪＰＥＧ，ＢＭＰなど）としても良く，あるいはＷＯＲＤやＰＤＦなどのドキュメントファイルとしても良い。また，後続の処理ある送付者暗号情報（コード情報）と連結して出力することを考慮すれば，単なるバイナリーのデータとするのが好ましい。
【００６６】
なお，生成されたファイルには，受取者暗号情報と共に，受取者を識別するための名称（例えばハンドルネーム）や，知られても構わないメールアドレスなどが記載されているのが好ましい。
【００６７】
このようにして，受取者端末装置に格納されている暗号化プログラムを利用して，受取者情報は暗号化されて，受取者Ｂが指定したディレクトリに保存することができる。
【００６８】
（第２の暗号化方法：暗号化プログラムが配送業者サーバ装置に格納されている場合の暗号化方法）
次に，本実施形態にかかる受取者の配送情報の第２の暗号化方法を図１３〜
図１７に基づいて，説明する。なお，図１３は，本実施形態にかかる受取者情報の第２の暗号化方法を示す概念図である。図１４は，本実施形態にかかる受取者情報の第２の暗号化方法を説明するためのフローチャートである。
【００６９】
まず，ステップＳ３００で，受取者端末装置１００は，通常のインターネットブラウザで配送業者ＣのＷｅｂサイトにアクセスする（ステップＳ３００）。
【００７０】
次いで，ステップＳ３０２で，本実施形態にかかる配送物の配送システムを使用するためのＳＳＬ使用可能なページ（受取者情報入力ページ）に移行し，ＳＳＬ起動ボタン（図示せず）クリックしてＳＳＬを起動する（ステップＳ３０２）。このことにより，暗号化通信可能な状態で，本実施形態にかかる配送物の配送システムを使用することができる。なお，受取者情報入力画面は，図１５に示すように，例えば，「ハンドルネーム」，「住所」，「氏名」，「電話番号」などの入力項目と，「確認ボタン」が表示される。
【００７１】
その後，ステップＳ３０４で，画面上に表示された受取者情報の入力画面に所定項目を入力する（ステップＳ３０４）。なお，「ハンドルネーム」は，受取者を識別するための名称を自由に記載する。「住所」は，受取者の住所であって，配送物を受け取る場所を記載する。「氏名」は，受取者本人の氏名を記載する。「電話番号」は，受取者の電話番号を記載する。「確認ボタン」は，受取者情報を暗号化する前に再確認するためのボタンである。
【００７２】
さらに，所定項目の入力が終了した後，「確認ボタン」をクリックすると，図１６に示すように，受取者情報の確認画面が表示される。なお，「暗号化（ＯＫ）ボタン」は，受取者情報を暗号化を開始するためのボタンである。
【００７３】
さらに，ステップＳ３０６で，受取者情報確認画面の「暗号化ボタン」をクリックすることにより，図１３に示すように，配送業者サーバ装置に受取者情報が転送されて暗号化が実行される（ステップＳ３０６）。なお，受取者情報の暗号化は，例えば１６進テキストコードにより暗号化することもできるが，配送の手間を考慮して，例えばバーコードや２次元バーコードなどのコード化情報とするのが好ましい。かかるバーコードなどのコード化情報によれば，暗号読取装置で受取者暗号情報を容易に自動認識することができる。
【００７４】
その後，ステップＳ３０８で，図１３に示すように，受取者端末装置１００により指定されたメールアドレスにファイルが送信される（ステップＳ３０８）。かかるメールアドレスの指定は，図１７に示すように，メールアドレス指定画面上で暗号化ファイルを送信するメールアドレスを指定することができる。そして，「ＯＫボタン」をクリックすることにより，暗号化ファイルの送信が実行される。なお，暗号化情報のファイル形式は，そのままラベルにできる画像ファイルフォーマット（ＧＩＦ，ＪＰＥＧ，ＢＭＰなど）としても良く，あるいはＷＯＲＤやＰＤＦなどのドキュメントファイルとしても良い。また，後続の処理ある送付者暗号情報（コード情報）と連結して出力することを考慮すれば，単なるバイナリーのデータとするのが好ましい。
【００７５】
このようにして，配送業者サーバ装置に格納されている暗号化プログラムを利用して，受取者情報は暗号化されて，受取者Ｂが指定したメールアドレスに送信される。なお，暗号化ファイルはサイト上に置き，受取者端末装置が例えばｆｔｐまたはｈｔｔｐによりダウンロードすることにより受取者端末装置は暗号化情報を取得することもできる。
【００７６】
（２）受取者暗号情報（及び送付者暗号情報）のラベル印刷
上記のように暗号化された受取者情報は，受取者端末装置から送付者端末装置に送信されて，ラベル印刷される。
【００７７】
かかるラベルの例を図１８，図１９に基づいて説明する。なお，図１８は，受取者暗号情報をラベルに表示した一例を示す。図１９は，受取者暗号情報及び送付者暗号情報をラベルに表示した一例を示す。
【００７８】
まず，図１８に示すように，受取者暗号情報を表示した配送ラベルには，「配送先」，「宛先」が表示されている。「配送先」は，配送業者の住所，会社名，営業所名が記載されている。「宛先」は，受取者を識別するための名称であるハンドルネーム（ＨＮ），暗号化された受取者情報，メールアドレスが記載されている。このように，ラベルには，受取者の宛先に関する情報は暗号化されて表示され，受取者の個人情報は一切表示されることはない。
【００７９】
また，送付者暗号情報を受取者暗号情報を併記してラベル表示することもできる。かかる場合は，図１９に示すように，ラベルには，「配送先」，「宛先」，「送元」が表示される。「配送先」は，配送業者の住所，会社名，営業所名が記載されている。「宛先」は，受取者を識別するための名称であるハンドルネーム（ＨＮ），暗号化された受取者情報，メールアドレスが記載されている。「送元」は，送付者を識別するための名称であるハンドルネーム（ＨＮ），暗号化された送付者情報，メールアドレスが記載されている。このように，ラベルには，受取者の宛先に関する情報及び送付者の個人情報が暗号化されて表示され，送付者及び受取者の個人情報が一切表示されない。
【００８０】
（３）受取者暗号情報の復号化
次に，本実施形態にかかる受取者情報の復号化方法を図２０〜図２１に基づいて説明する。なお，図２０は，本実施形態にかかる受取者情報の復号化方法を示す概念図である。図２１は，本実施形態にかかる受取者情報の復号化方法を説明するためのフローチャートである。
【００８１】
まず，ステップＳ４００で，暗号読取装置（例えばバーコードハンディスキャナ）に配送業者サーバ装置に格納されている秘密鍵Ｋｓを格納する（ステップＳ４００）。
【００８２】
次に，ステップＳ４０２で，配送業者Ｃは，配送物に添付されたラベルの受取者暗号情報（コードデータ）を，暗号読取装置で読み取る（ステップＳ４０２）。
【００８３】
その後，ステップＳ４０４で，図２０に示すように，暗号読取装置は，読み取った受取者暗号情報を，配送業者Ｃの秘密鍵で復号化して，受取者の宛先情報を取得する（ステップＳ４０４）。
【００８４】
さらに，ステップＳ４０６で，図２０に示すように，暗号読取装置の有する印刷機能により受取者の宛先をラベルに印刷する（ステップＳ４０６）。
【００８５】
最後に，ステップＳ４０８で，図２０に示すように，印刷したラベルを配送物に貼り付ける（ステップＳ４０８）
【００８６】
このようにして，配送業者Ｃは，受取者Ｂの宛先を取得して，配送物を配送することができる。
【００８７】
なお，暗号読取装置は，ハンディタイプのプリンタ付きリーダでも良く，自動コンベアに設置して，大量に処理ができるようにしてもよい。なお，固定設置機器の場合には，ネットワークを介して秘密鍵をダウンロードし，さらに，複数の鍵を運用する場合には，鍵の更新などを行なうのが好ましい。また，ハンディタイプの機器の場合には，例えば１日１回の充電の機会を利用して鍵情報の更新を行なうのが有用である。
【００８８】
本実施形態においては，公開鍵を使用して，受取者の個人情報（必要に応じて送付者の個人情報）を暗号化するので，個人情報を他人（送付者あるいは受取者）に知られることなく配送物を配送することができる。このとき，受取者の個人情報あるいは送付者の個人情報を格納するためのデータベースが不要となるので，個人情報の流出が最大限防止することができる。さらに，配送業者サーバ装置には，受取者情報を管理するためのデータベースが不要となるので，サーバ管理の手間がなくなるばかりでなく，個人情報を秘密にする配送システムを低コストで実現することができる。さらに，配送業者は，サーバ装置に問い合わせる必要がないので，オフラインで宛名を変換することができる。さらに，ユーザは，自分のＩＤ番号を控えておく必要がない。
【００８９】
以上，本発明に係る好適な実施の形態について説明したが，本発明はかかる構成に限定されない。当業者であれば，特許請求の範囲に記載された技術思想の範囲内において，各種の修正例及び変更例を想定し得るものであり，それらの修正例及び変更例についても本発明の技術範囲に包含されるものと了解される。
【００９０】
例えば，上記実施形態においては，配送業者Ｃが，受取者情報あるいは送付者情報の暗号化及び復号化サービスを行なっている例を挙げて説明したが，かかるサービスを専門業者が行なうことによっても実施することができる。この場合には，サービス業者を経由して配送業者が配送業務を行うことになる。例えば図２２に示すように，受取者Ｂは，サービス業者Ｃの公開鍵を使用して受取者情報の暗号化を行い，受取者暗号情報はサービス業者が復号化を行なって配送物にラベルを添付する。また，送付者の身元情報は，サービス業者が暗号化し，送付者の可読情報を張り替る。また，送付者の可読情報は，配送業者に渡される。
【００９１】
また，本実施形態においては，配送サービスは，単独の配送業者でおこなう例を挙げて説明したが，かかる例には限定されない。複数の配送業者で行うことができる。この場合には，図２３に示すように，公開鍵及び秘密鍵の管理及び公開鍵証明書の発行を認証局が行なって，各配送業者に与えることで，暗号化ソフトが共通で使用できると共に，管理の一元化も実現することができる。
【００９２】
また，本実施形態においては，配送業者が１つの鍵を有する例を挙げて説明したが，かかる例には限定されない。同じ配送業者が複数の鍵を有することもできる。この場合においても，公開鍵及び秘密鍵の認証局が管理することで実現することができる。例えば秘密鍵が漏洩した場合であっても，認証局が秘密鍵の取り消し手続きをおこなうことができる。また，複数の鍵を用意しておくことで，万一のリスクが分散されることにもなる。この場合には，暗号化配送情報に，暗号化に使用した公開鍵の番号か，証明書を添付することにより，容易に復号化することができる。
【００９３】
また，本実施形態においては，受取者端末装置は，暗号化ファイルを，ネットワークを介して送付者端末装置に送信する例を挙げて説明したが，かかる例には限定されない。ネットワークを介さずに，直接，電子データまたはプリントアウトした結果を送付者に渡すこともできる。
【００９４】
また，本実施形態においては，送付者端末装置は，受取者暗号情報をラベル印刷する例を挙げて説明したがかかる例には限定されない。例えば磁気カード，ＩＣカードなどの各種媒体に格納して配送業者に手渡すこともできる。
【００９５】
また，本実施形態においては，受取者端末装置は，暗号化のための配送業者の公開鍵を配送業者のサイトからダウンロードするように構成した例を挙げて説明したが，かかる例には限定されない。例えば，公開鍵を予め暗号化プログラムに格納して配布することもできる。
【００９６】
【発明の効果】
公開鍵を使用して，受取者の個人情報（必要に応じて送付者の個人情報）を暗号化するので，個人情報を他人（送付者あるいは受取者）に知られることなく配送物を配送することができる。このとき，受取者の個人情報あるいは送付者の個人情報を格納するためのデータベースが不要となるので，個人情報の流出が最大限防止することができる。さらに，サーバ管理の手間がなくなるばかりでなく，個人情報を秘密にする配送システムを低コストで実現することができる。さらに，配送業者は，サーバ装置に問い合わせる必要がないので，オフラインで宛名を変換することができる。さらに，ユーザは，自分のＩＤ番号を控えておく必要がない。また，認証局が鍵を管理するように構成すれば，複数の配送サービス業者が共通のインフラを使用することができる。
【図面の簡単な説明】
【図１】第１の実施の形態にかかる配送物の配送システムの構成を示すブロック図である。
【図２】第１の実施の形態にかかる受取者端末装置の構成を示すブロック図である
【図３】第１の実施の形態にかかる送付者端末装置の構成を示すブロック図である
【図４】第１の実施の形態にかかる配送業者サーバ装置の構成を示すブロック図である。
【図５】第１の実施の形態にかかる配送物の配送方法を示す概念図である。
【図６】第１の実施の形態にかかる配送物の配送方法を示すフローチャートである。
【図７】第１の実施の形態にかかる送付者情報を暗号化する場合の配送物の配送方法を示す概念図である。
【図８】第１の実施の形態にかかる第１の暗号方法を示す概念図である。
【図９】第１の実施の形態にかかる第１の暗号方法を示すフローチャートである。
【図１０】第１の暗号化方法におけるコンピュータ画面表示を示す説明図である。
【図１１】第１の暗号化方法におけるコンピュータ画面表示を示す説明図である。
【図１２】第１の暗号化方法におけるコンピュータ画面表示を示す説明図である。
【図１３】第２実施の形態にかかる第１の暗号方法を示す概念図である。
【図１４】第２の実施の形態にかかる第１の暗号方法を示すフローチャートである。
【図１５】第２の暗号化方法におけるコンピュータ画面表示を示す説明図である。
【図１６】第２の暗号化方法におけるコンピュータ画面表示を示す説明図である。
【図１７】第２の暗号化方法におけるコンピュータ画面表示を示す説明図である。
【図１８】受取者暗号情報をラベルに表示した一例を示す説明図である。
【図１９】受取者暗号情報及び送付者暗号情報をラベルに表示した一例を示す説明図である。
【図２０】第１の実施の形態にかかる受取者情報の復号化方法を示す概念図である。
【図２１】第１の実施の形態にかかる受取者情報の復号化方法を説明するためのフローチャートである。
【図２２】サービス業者を経由して配送業者が配送業務を行う場合の配送システムを示す概念図である。
【図２３】複数の配送業者が配送業務を行う場合の配送システムを示す概念図である。
【符号の説明】
１０　配送システム
１００　受取者端末装置
２００　送付者端末装置
３００　配送業者サーバ装置
３１０　ＣＰＵ
３２０　通信ユニット
３３０　メモリ
３４０　暗号プログラム管理手段
３５０　公開鍵管理手段
３６０　秘密鍵管理手段
３７０　コンテンツデータベース
４００　暗号読取装置
５００　ネットワーク
６００，６２０　プロバイタ
７００，７２０　通信キャリア
８００　ドメインネームサーバ
【図１】
2004110425.tif 000003
【図２】
2004110425.tif 000004
【図３】
2004110425.tif 000005
【図４】
2004110425.tif 000006
【図５】
2004110425.tif 000007
【図６】
2004110425.tif 000008
【図７】
2004110425.tif 000009
【図８】
2004110425.tif 000010
【図９】
2004110425.tif 000011
【図１０】
2004110425.tif 000012
【図１１】
2004110425.tif 000013
【図１２】
2004110425.tif 000014
【図１３】
2004110425.tif 000015
【図１４】
2004110425.tif 000016
【図１５】
2004110425.tif 000017
【図１６】
2004110425.tif 000018
【図１７】
2004110425.tif 000019
【図１８】
2004110425.tif 000020
【図１９】
2004110425.tif 000021
【図２０】
2004110425.tif 000022
【図２１】
2004110425.tif 000023
【図２２】
2004110425.tif 000024
【図２３】
2004110425.tif 000025